(57)【特許請求の範囲】
【請求項１】
枠に折戸の端部を移動可能に且つ回動可能に取付けるためのものであって、
折戸に取付けられる戸側金具と、
この戸側金具に回動可能に連結された枠側金具とを具備し、
その枠側金具が、枠の下辺部に対しては、該枠の下辺部に設けられた軌条部上を折戸の荷重を受けつつ転動する戸車を有し、枠の上辺部に対しては、該枠の上辺部に設けられた下面全開形の軌条部に移動可能に嵌合される被ガイド部材を有するようにすると共に、
その被ガイド部材又は前記枠上辺部の軌条部側に、それらの嵌合状態で取付けられて、その軌条部に沿った被ガイド部材の移動を許容しつつ該被ガイド部材を軌条部との嵌合状態に保持する保持手段を設けたことを特徴とする折戸用金具。
【発明の詳細な説明】
【０００１】
【発明の属する技術分野】
本発明は、枠に折戸の端部を移動可能に且つ回動可能に取付けるための折戸用金具に関する。
【０００２】
【従来の技術】
折戸装置は、戸が開放時に折り畳まれるもので、例えばクロゼットの戸や部屋の間仕切り戸として多く用いられている。
この折戸装置には、インセット形とアウトセット形とがあり、このうち、インセット形は、図１８に示すように、折戸１が枠２の中に収まっている形式のものであり、アウトセット形は、図１９に示すように、折戸１１が枠１２の外側前方（図中、下側）に取付いている形式のものである。
【０００３】
しかして、図２０は、そのうちのアウトセット形の折戸装置に従来用いられている金具１３を示している。この金具１３は、枠１２に折戸１１の左右上下の端部１１ａを移動可能に且つ回動可能に取付けるためのものであって、それぞれ、戸側金具１４と、これとは別体の枠側金具１５、及びこれらの両金具１４，１５を回動可能に連結した連結機構１６から成っている。
なお、折戸１１は、２枚の戸板１１ｂを複数個の蝶番１１ｃで折り畳み及び展開可能に連結して成る。
【０００４】
金具１３の戸側金具１４は、詳細には図２１に示すように、折戸１１の端部１１ａの裏側に形成した穴１７に筒部１８を挿入して、その上下部でフランジ部１９を折戸１１の端部１１ａにねじ２０によって取付けるようになっている。
これに対して、枠側金具１５は、枠１２の上辺部（鴨居部分）に対するものが横軸回転する吊り車２１（図２０参照）を有し、一方、枠１２の下辺部（敷居部分）に対するものが縦軸回転するローラ２２を有していて、そのうちの吊り車２１が枠１２の上辺部に設けられたレール２３に転動可能に収納され、ローラ２２が枠１２の下辺部に設けられたレール２４に同じく転動可能に収納されるようになっている。
【０００５】
そして、連結機構１６は、図２２に示すように、基体２５に２枚の連結板２６，２７の基端部を軸ピン２８，２９により回動可能に連結して、これら２枚の連結板２６，２７の先端部を軸ピン３０，３１により上記戸側金具１４の筒部１８の周側部に回動可能に連結したもので、基体２５には更に切欠溝３２を有し、この切欠溝３２を、図２１に示すように、枠側金具１５に仮螺挿したねじ３３に嵌合して、最適のスライド調整位置でねじ３３を締めることにより、枠側金具１５に取付けられるようになっている。
【０００６】
ここで、実際の取付けに際しては、折戸１１の端部１１ａに戸側金具１４を取付けて置き、一方、レール２３，２４に枠側金具１５のローラ２２、吊り車２１を収納して置いて、この枠側金具１５にそれぞれ上記切欠溝３２とねじ３３とで戸側金具１４を取付けるようになっている（図２３参照）。
【０００７】
取付け後、折戸１１を、これの前記蝶番１１ｃによる連結部分近くの前面部に設けた取手１１ｄ（図１９参照）を持って手前に引けば、枠側金具１５が吊り車２１とローラ２２とによりそれぞれレール２３，２４に沿って移動し、同時に、戸側金具１４が連結機構１６により基体２５から、ひいては枠側金具１５から回動して折戸１１を回動させることにより、該折戸１１を前方へ折り畳むようになっている。
【０００８】
しかして、上記構成のものの場合、折戸１１には、金具１３の筒部１８を挿入する穴１７を形成するに際して、強度上の必要から、その穴１７と折戸１１の端面との間に、図２１に示す寸法Ｌの余裕を持たせなければならない。このため、金具１３の戸側金具１４は、折戸１１の端面から寸法Ｌだけ離して取付けられることになり、このままでは、折戸１１を開放させたときに、折戸１１の端面部分１１ｅが枠１２側に変位して該枠１２に衝接してしまい、折戸１１の開放ができなくなってしまう。
【０００９】
そこで、金具１３の戸側金具１４は枠側金具１５に連結機構１６によって連結されているのであり、連結機構１６は、上述の、基体２５に２枚の連結板２６，２７の基端部を軸ピン２８，２９により回動可能に連結し、この連結板２６，２７の先端部を軸ピン３０，３１により戸側金具１４の筒部１８の側部に回動可能に連結した構成にて、折戸１１の開放時には、図２２に二点鎖線で示すように、戸側金具１４を単に回動させるだけなく、前方（図２２中、左側）に押し出しもし、これによって、折戸１１の端面部分１１ｅが枠１２に衝接するのを避け、折戸１１の開放が存分にできるようになっている。
【００１０】
【発明が解決しようとする課題】
上記従来のものにおいては、折戸１１の上部に吊り車２１が設けられ、下部にローラ２２が設けられている。このうち、吊り車２１は、折戸１１をレール２３に吊って転動するものであり、従って、折戸１１の重量を受けるものである。一方、ローラ２２は、吊り車２１の転動に伴ってレール２４を転動するだけのものであり、折戸１１の移動案内に供する被ガイド部材として機能するだけのものである。この関係上、ローラ２２は、レール２４内をこれの底面から離間して（宙に浮いて）転動するようになっている。
【００１１】
このものの場合、レール２３に吊り車２１で吊り下げられた折戸１１の重量が枠１２の上辺部（鴨居の部分）にかかって、該部が下がり気味となることから、レール２３が下方にたわみ、該レール２３に沿った吊り車２１の動きが悪くなって、折戸１１の開閉がスムーズにできなくなりやすかった。
【００１２】
又、枠１２への折戸１１の取付けに関しては、前述のように、レール２３，２４に枠側金具１５の吊り車２１、ローラ２２をあらかじめ収納して置き、又、折戸１１の端部１１ａに戸側金具１４をあらかじめ取付けて置いて、その後に枠側金具１５に戸側金具１４を取付けるようになっており、その折り、折戸１１を作業者の１人又は複数人が浮かし持って、他の作業者が枠側金具１５に対する戸側金具１４の取付けを行う必要があり、作業が困難であった。
【００１４】
本発明は上述の事情に鑑みてなされたものであり、従ってその目的は、折戸の開閉がスムーズにできる折戸用金具を提供し、併せて、枠への折戸の取付けが容易にできると共に、状態の安定保持に効果のある折戸用金具を提供するにある。
【００１５】
【課題を解決するための手段】
上記目的を達成するために、本発明の折戸用金具は、枠に折戸の端部を移動可能に且つ回動可能に取付けるためのものにあって、第１に、折戸に取付けられる戸側金具と、この戸側金具に回動可能に連結された枠側金具とを具備し、その枠側金具が、枠の下辺部に対しては、該枠の下辺部に設けられた軌条部上を折戸の荷重を受けつつ転動する戸車を有し、枠の上辺部に対しては、該枠の上辺部に設けられた下面全開形の軌条部に移動可能に嵌合される被ガイド部材を有するようにすると共に、その被ガイド部材又は前記枠上辺部の軌条部側に、それらの嵌合状態で取付けられて、その軌条部に沿った被ガイド部材の移動を許容しつつ該被ガイド部材を軌条部との嵌合状態に保持する保持手段を設けたことを特徴とする（請求項１の発明）。
【００１６】
このものによれば、折戸は、従来のような吊り下げ形でなく、戸車による下方からの持ち上げ形で開閉されるようになる。このため、枠の上辺部には折戸の重量がかからず、該枠の上辺部が下がり気味となることがなくなるから、折戸の開閉がスムーズにできるようになる。
【００１７】
又、枠に対する折戸の取付けに関しては、戸車を取付けた折戸用金具を折戸の下部に取付け、被ガイド部材を取付けた折戸用金具を折戸の上部に取付けた上で、この状態の被ガイド部材を枠上辺部の軌条部に組み付け、戸車を枠下辺部の軌条部に組み付けることが可能である。
そして、上記枠上辺部の軌条部は下面全開形であり、これに嵌合された被ガイド部材が、折戸の折り畳み状態又はそれに近い状態では、軌条部に沿った移動で該軌条部から脱離することが懸念されるものの、それを保持手段にて嵌合状態に保持でき、脱離を防止できる。
【００２２】
【発明の実施の形態】
以下、本発明の第１実施例につき、図１ないし図８を参照して説明する。
まず図１には、アウトセット形の折戸装置４１を示しており、折戸４２を枠４３の外側前方（図中、左側）に取付けている。この枠４３に対する折戸４２の取付けには、上部で金具４４が供し、下部で金具４５が供しており、そのうちの上部の折戸用金具４４は、戸側金具４６と、これとは別体の枠側金具４７、及びそれらを回動可能に連結した連結部材４８から成っている。又、下部の折戸用金具４５も、戸側金具４９と、これとは別体の枠側金具５０、及びそれらを回動可能に連結した連結部材５１から成っている。
【００２３】
このうち、上部の折戸用金具４４の戸側金具４６は、図２に示すように、金属板を逆Ｌ字状に折曲して成るものであり、連結部であるこれの横板部４６ａの隅部に連結孔としてねじ孔５２を形成している。又、この戸側金具４６の取付部である縦板部４６ｂには、複数の取付孔５３を形成している。
【００２４】
これに対して、枠側金具４７は、金属板を逆Ｌ字状に折曲して、更にその下部をＬ字状に折曲したものであり、連結部であるこれの上横板部４７ａの隅部に連結孔５４を形成している。又、この枠側金具４７の取付部である下横板部４７ｂには、前後（図中、左右）に長い２つの長孔５５を形成している。
【００２５】
そして、連結部材４８は段付ねじから成っており、戸側金具４６の横板部４６ａの上に枠側金具４７の上横板部４７ａを重ねた上で、この連結部材４８を連結孔５４からねじ孔５２に螺挿して締付けることにより、戸側金具４６と枠側金具４７とを、該連結部材４８を中心としての回動可能に連結している。なお、連結部材４８は段付ねじに代えてリベットとしても良い。
【００２６】
しかして、上部の折戸用金具４４には、被ガイド部材５６を取付けている。この被ガイド部材５６は、プラスチック製又は金属製にて、上部に凸部５７を有する直方体状のブロックから成っており、下側と後側とにそれぞれ２つのねじ穴５８，５９を形成している。この構成で、被ガイド部材５６を上部の折戸用金具４４の枠側金具４７の下横板部４７ｂに載置し、その上で、下方から２本のねじ６０をそれぞれ長孔５５に通しねじ穴５８に螺挿して締め付けることにより、被ガイド部材５６を上部の折戸用金具４４の枠側金具４７の下横板部４７ｂ上に取付けている。
【００２７】
又、被ガイド部材５６には、図３に示す保持板６１を取付けるようにしている。この保持板６１は、プラスチック製又は金属製にて、矩形状を成し、その前側（図中、左側）の上部には左右に長い溝６２を形成し、その下方部に上下に長い２つの長孔６３を形成している。この構成で、保持板６１を被ガイド部材５６の後面（図中、右側面）に宛てがい、その上で、後方（図中、右側方）から２本のねじ６４をそれぞれ長孔６３に通し被ガイド部材５６のねじ穴５９に螺挿して締め付けることにより、保持板６１を被ガイド部材５６の後面に取付けるようにしている。
【００２８】
一方、下部の折戸用金具４５の戸側金具４９は、図４に示すように、金属板をＬ字状に折曲して成るものであり、連結部であるこれの横板部４９ａの隅部に連結孔としてねじ孔６５を形成している。又、この戸側金具４９の取付部である縦板部４９ｂには、複数の取付孔６６を形成している。
【００２９】
これに対して、枠側金具５０は、金属板をＬ字状に折曲して、更にその上部を逆Ｌ字状に折曲し、そして又、その先端部を逆Ｌ字状に折曲すると共に、これらの折曲部と直角の一面部に壁部５０ｅを設けたものであり、連結部である下横板部５０ａの隅部に連結孔６７を形成している。又、この枠側金具５０の取付部である前後の両縦板部５０ｂ，５０ｃには、隅部に孔６８，６９を形成している。
【００３０】
更に、枠側金具５０の縦板部５０ｂには、下部の中央部に、上下の支持片７０，７１を縦板部５０ｃ側への例えば切り起こしにより形成し、この支持片７０，７１間には、ローラ７２を縦軸７３により回転可能に取付け支持している。
【００３１】
このほか、枠側金具５０の上横板部５０ｄには、上記孔６８，６９側とは反対側の端部にねじ孔７４を形成して、これにねじ７５を上方より螺挿して下方へ貫通させ、更に、そのねじ孔７４側の壁部５０ｅに前後に長い長孔７６を形成している。
そして、連結部材５１は段付ねじから成っており、戸側金具４９の横板部４９ａの下に枠側金具５０の下横板部５０ａを重ねた上で、この連結部材５１を連結孔６７からねじ孔６５に螺挿して締付けることにより、戸側金具４９と枠側金具５０とを、該連結部材５１を中心としての回動可能に連結している。なお、連結部材５１も段付ねじに代えてリベットとしても良い。
【００３２】
下部の折戸用金具４５には、両縦板部５０ｂ，５０ｃ間に戸車７７を取付けている。この戸車７７は、図５に示すように、戸車支持部材である例えばプラスチック製の戸車ケース７８に収容して軸７９により横軸回転するように支持したもので、その戸車ケース７８は、隅部に孔８０，８０を有しており、図６及び図７に示すように、この孔８０，８０と前記枠側金具５０の孔６８，６９とに軸８１を通して適宜抜止めし、もって、戸車ケース７８ごと戸車７７を、軸８１を中心として上下に回動可能に枢支している。又、この場合、戸車ケース７８は、枠側金具５０の両縦板部５０ｂ，５０ｃとの間を軸８１に沿って変位できるようにしている。
【００３３】
戸車ケース７８には又、枠側金具５０の壁部５０ｅ側の面に凹欠部８２を形成して、これに伝動ピース８３を収納しており、この伝動ピース８３には、前記枠側金具５０の長孔７６を通したねじ８４を螺挿している。
【００３４】
そして、それらに対し、前記枠４３の上辺部（鴨居部分）４３ａの下面には、図１に示すように、レール８５をねじ８６によって取付けており、このレール８５は、この場合、断面逆Ｕ字状にて下面が全面的に開放する全開形の溝８７を軌条部として有している。又、このレール８５には、後面（図１中、右側面）に突条部８８を溝８７の伸延方向（図１中、紙面と直交する方向）と平行に設けている。
【００３５】
一方、枠４３の下辺部（敷居部分）４３ｂの上面には、レール８９を取付けており、このレール８９は、この場合、断面Ｖ字状にて上面が全面的に開放する全開形の溝９０を軌条部として有している。
【００３６】
次に、上記構成のものの枠４３に対する折戸４２の取付手順について述べる。まず、折戸４２に折戸用金具４４，４５を取付ける。詳細には、図８に示すように、折戸４２の上部の左右の両端部に折戸用金具４４を取付け、下部の左右の両端部に折戸用金具４５を取付けるのであるが、これらはそれぞれその左右で対称形となっている。なお、折戸４２は、２枚の戸板４２ａを複数個の蝶番４２ｂで折り畳み及び展開可能に連結して成る。
【００３７】
折戸４２に対する上記折戸用金具４４，４５の取付けは、図１に示すように、戸側金具４６，４９のそれぞれ縦板部４６ｂ，４９ｂを折戸４２の端部の背面  （裏面）に当てて、取付孔５３，６６を通した皿ねじ９１，９２を折戸４２に螺挿して締付けることによって行う。更に、このとき、戸側金具４６の横板部４６ａの隅部を折戸４２の隅部に合わせるようにして、該横板部４６ａを折戸４２の上面に重ね、一方、戸側金具４９の横板部４９ａの隅部を折戸４２の隅部に合わせるようにして、該横板部４９ａを折戸４２の下面に重ねる。
【００３８】
ここで、戸車７７を有した折戸用金具４５を上述のように折戸４２に取付けたことにより、戸車７７は折戸４２の裏側に位置する。
この後、被ガイド部材５６の凸部５７をレール８５の溝８７に嵌合し、戸車７７をレール８９の溝９０に載せる。
【００３９】
そして、その後、戸車７７の上下、前後の位置調整を行う。そのうち、戸車７７の上下の位置調整は、ねじ７５を螺進退させて行う。すなわち、ねじ７５を螺進退させれば、それによって、戸車ケース７８が軸８１を中心に上下に回動するものであり、この戸車ケース７８の上下の回動によって、戸車７７の上下の位置調整がなされる。
【００４０】
戸車７７の前後の位置調整は、ねじ８４をつまんで、これを長孔７６に沿い前後に移動させることによって行う。すなわち、ねじ８４を前後に移動させれば、それと一体に伝動ピース８３が移動することにより、この伝動ピース８３を凹欠部８２に収納した戸車ケース８２が軸８１に沿って前後に移動し、戸車７７の前後位置調整がなされる。この場合、最適の調整位置でねじ８４を締めることにより、伝動ピース８１がねじ８４の頭部側に寄せられて該ねじ８４の頭部との間で枠側金具５０の壁部５０ｅを挟圧するから、これによって戸車ケース７８が調整後の位置に固定され、ひいては戸車７７が調整後の位置に固定される。
【００４１】
一方、上部の折戸用金具４４においては、被ガイド部材５６の前後位置調整を行う。この被ガイド部材５６の前後位置調整は、ねじ６０を一旦緩めて、被ガイド部材５６を長孔５５により前後に位置調整した上で、ねじ６０を再度締めることにより行う。
【００４２】
そして、被ガイド部材５６には保持板６１を前述のようにして取付け、この保持板６１の溝６２をレール８５の突条部８８に摺動可能に嵌合させることによって、被ガイド部材５６の溝８７との嵌合状態を保持するようにする。更に、このとき、保持板６１は、長孔６３により上下位置調整をして取付ける。
【００４３】
以上により、枠４３に折戸４２を取付けるものであり、この取付け後、折戸４２を、これの前記蝶番４２ｃによる連結部分近くの前面部に設けた取手（図示せず）を持って手前に引けば、上部の折戸用金具４４の枠側金具４７が被ガイド部材５６によってレール８５の溝８７に沿って移動し、下部の折戸用金具４５の枠側金具５０が戸車７７によってレール８９の溝９０に沿って転動する。そして又、同時に、上部の折戸用金具４４の戸側金具４６が連結部材４８により枠側金具４７から回動し、下部の折戸用金具４５の戸側金具４９が連結部材５１により枠側金具５０から回動して折戸４２を回動させることにより、該折戸４２を折り畳み開放させる。
【００４４】
又、その折戸４２を折り畳み開放させた状態から、折戸４２を枠４３側へ押し込めば、上記各部がそれぞれ上述とは反対の方向に動作して、折戸４２を展開させ閉鎖させる。
【００４５】
そして、それらのとき、保持板６１は、溝６２をレール８５の突条部８８に嵌合させたまま、すなわち、それによって被ガイド部材５６を溝８７との嵌合状態に保持したまま、突条部８８に沿って移動するものであり、従って、保持板６１は上記溝８７に沿った被ガイド部材５６の移動を許容しつつ該被ガイド部材５６を溝８７との嵌合状態に保持する保持手段として機能する。
【００４６】
このように本構成のものは、折戸４２の下部に折戸用金具４５によって戸車７７を設け、上部に折戸用金具４４によって被ガイド部材５６を設けた構成にて、折戸４２が、従来のような吊り下げ形でなく、戸車７７による下方からの持ち上げ形で開閉される。このため、枠４３の上辺部４３ａには折戸４２の重量がかからず、該枠４３の上辺部４３ａが下がり気味となることがなくなるから、折戸４２の開閉がスムーズにできる。
【００４７】
又、枠４３に対する折戸４２の取付けに関しては、被ガイド部材５６を取付けた折戸用金具４４を折戸４２の上部に取付け、戸車７７を取付けた折戸用金具４５を折戸４２の下部に取付けた上で、この状態の被ガイド部材５６を枠４３の上辺部４３ａの軌条部であるレール８５の溝８７に組み付け、戸車７７を枠４３の下辺部４３ｂの軌条部であるレール８９の溝９０に組み付けることができるものであって、従来のもののような、レール２３，２４に枠側金具１５の吊り車２１、ローラ２２をあらかじめ収納して置き、又、折戸１１の端部１１ａに戸側金具１４をあらかじめ取付けて置いて、その後に、折戸１１を作業者の１人又は複数人が浮かし持ちつつ枠側金具１５に戸側金具１４を取付けるような、困難な作業が必要なく、作業性を改善できる。
【００４８】
そして、上記枠４３の上辺部４３ａのレール８５の溝８７（軌条部）は下面全開形であり、これに嵌合された被ガイド部材５６が、折戸４２の折り畳み状態又はそれに近い状態では、溝８７に沿った移動で該溝８７から脱離することが懸念される。しかしながら、それに対しては、保持板６１を有し、この保持板６１が、上記溝８７に沿った被ガイド部材５６の移動を許容しつつ該被ガイド部材５６を溝８７との嵌合状態に保持するから、溝８７からの被ガイド部材５６の脱離を防止でき、状態の安定保持ができる。
【００４９】
加えて、折戸４２は、開放時に前方に折り畳まれるもので、それにより、重心が前方に位置するようになって前傾し、それによって下部の折戸用金具４５の枠側金具５０が枠４２の下辺部４３ｂの前面Ｍ（図１参照）に当たって、その移動が、ひいては折戸４２の開閉がスムーズにできなくなるおそれがある。それに対しては、その枠側金具５０の、枠４３の下辺部４３ｂの前面Ｍに面する箇所である縦板部５０ｂに、ローラ７２を回転可能に設けていて、枠側金具５０と枠４３の下辺部４３ｂの前面Ｍとの間には、ローラ７２が位置し、これが、折戸４２の前傾時、枠側金具５０に代わり枠４３の下辺部４３ｂの前面Ｍに接触して、戸車７７と同方向に転動することにより、枠側金具５０の移動、ひいては折戸４２の開閉をよりスムーズに確保することができる。
【００５０】
以上に対して、図９ないし図１７は本発明の第２ないし第６実施例を示すもので、それぞれ、第１実施例と同一の部分には同一の符号を付して説明を省略し、異なる部分についてのみ述べる。
【００５１】
［第２実施例］
図９に示す第２実施例においては、前述の溝６２を有した保持板６１に代えて、鉤部１０１を有する保持板１０２を使用し、その鉤部１０１をレール８５の突条部８８に摺動可能に係合させて被ガイド部材５６を溝８７との嵌合状態に保持するようにしている。
【００５２】
従って、このものでも、保持板１０２は、溝８７に沿った被ガイド部材５６の移動を許容しつつ該被ガイド部材５６を溝８７との嵌合状態に保持する保持手段として機能するものであり、第１実施例同様に、溝８７からの被ガイド部材５６の脱離を防止できて、状態の安定保持ができる。
【００５３】
［第３実施例］
図１０ないし図１２に示す第３実施例においては、下部の折戸用金具４５の枠側金具５０に、ローラ７２をレール８９の溝９０の伸延方向に複数個、この場合、縦板部５０ｂの左右両側部に各１個で、計２個設けている。
【００５４】
折戸４２の開閉時、戸車７７はレール８９の溝９０との接触部を中心に回動しようとする。図１１及び図１２はこの様子を示しており、折戸４２を開放させるとき、戸車７７は図１１に矢印Ａで示すように移動して折戸４２を矢印Ｂで示すように折り畳むが、このとき、折戸４２は取手４２ｄを持って前方（図１１中、左側）に引張られてもおり、それに伴い、戸車７７にはレール８９の溝９０との接触部Ｓを中心にした矢印Ｃで示す方向への回動が与えられる。又、反対に折戸４２を閉鎖させるとき、戸車７７は図１２に矢印Ｄで示すように移動して折戸４２を矢印Ｅで示すように展開させるが、このとき、折戸４２は枠４３側に押し込まれてもおり、それに伴い、戸車７７にはレール８９の溝９０との接触部Ｓを中心にした矢印Ｆで示す方向への回動が与えられる。
【００５５】
しかして、そのように戸車７７が回動すると、下部の折戸用金具４５の枠側金具５０が枠４３の下辺部４３の前面に当たって、その移動が、ひいては折戸４２の開閉がスムーズにできなくなるおそれがある。
【００５６】
これに対して、下部の折戸用金具４５の枠側金具５０に、ローラ７２をレール８９の溝９０の伸延方向に複数個設けた本実施例の場合には、折戸４２の開放時と閉鎖時とで、戸車７７の移動方向（矢印Ａ，Ｄ）とはそれぞれ反対側、すなわち移動方向あとの位置にあるローラ７２が上述の枠側金具５０に代わり枠４３の下辺部４３ｂの前面に接触して、戸車７７と同方向に転動することにより、枠側金具５０の移動、ひいては折戸４２の開閉をスムーズに確保することができる。
【００５７】
［第４実施例］
図１３に示す第４実施例においては、戸車支持部材である戸車ケース１１１に、前述の戸車ケース７８よりも前後（図１３中、左右）に幅広なものを使用し、これの内部に仕切部１１１ａを設けて、この仕切部１１１ａと枠側金具５０の縦板部５０ｃとの間で戸車７７を回転可能に支持している。
【００５８】
又、戸車ケース１１１の前部（図１３中、左側部）には、下方への延長部１１１ｂを形成して、これ、すなわち戸車ケース１１１の、枠４３の下辺部４３ｂの前面Ｍに面する箇所に、前述の支持片７０，７１に代わる上下の支持片１１２，１１３を、戸車ケース１１１の例えばプラスチックによる成形と同時の型成形によって形成し、この支持片１１２，１１３間にローラ７２を縦軸７３により回転可能に取付け支持している。
ローラ７２はこのように設けても、前述同様の、折戸４２の前傾、並びに戸車７７のレール８９の溝９０との接触部を中心にしての回動に対して、折戸４２の開閉をスムーズに確保できる効果を奏する。
【００５９】
［第５実施例］
図１４に示す第５実施例においては、戸車支持部材である戸車ケース１２１に、上述の戸車ケース１１１より前後に幅狭であるものの、それと同様に、内部に仕切部１２１ａを有し、前部（図１４中、左側部）に延長部１２１ｂを有するものを用いて、その仕切部１２１ａと枠側金具５０の縦板部５０ｃとの間で戸車７７を回転可能に支持している。
【００６０】
又、戸車ケース１２１の、枠４３の下辺部４３ｂの前面Ｍに面する箇所である延長部１２１ｂには、上述の支持片１１２，１１３とも代わる上下の支持片１２２，１２３を、戸車ケース１２１の例えばプラスチックによる成形と同時の型成形によって枠側金具５０の縦板部５０ｂ側に形成すると共に、孔１２４を支持片１２２，１２３の上下間に形成し、この孔１２４内に位置させて支持片１２２，１２３間に、ローラ７２を縦軸７３により回転可能に取付け支持している。
【００６１】
更に、この場合、枠側金具５０の縦板部５０ｂと戸側金具４９の縦板部４９ｂには、孔１２５，１２６を形成し、この孔１２５，１２６内にローラ７２と支持片１２２，１２３とを位置させている。
【００６２】
ローラ７２はこのように設けても、前述同様の、折戸４２の前傾、並びに戸車７７のレール８９の溝９０との接触部を中心にしての回動に対して、折戸４２の開閉をスムーズに確保できる効果を奏する。
又、この場合、ローラ７２を枠側金具５０と戸側金具４９の孔１２５，１２６内に位置させた分、折戸４２と枠４３との間を近付けることができて、それら折戸４２と枠４３との隙間を小さくすることができる。
【００６３】
［第６実施例］
図１５ないし図１７に示す第６実施例においては、上下の折戸用金具１３１，１３２の戸側金具１３３，１３４を、それぞれ折戸４２の裏面Ｒから側縁面Ｇに添うＬ字状に形成し、枠側金具１３５，１３６特にこれらの基部を、それぞれ戸側金具１３３，１３４に添うＬ字状に形成して、これらを折戸４２の側縁面Ｇ側の端縁部で、組合わせた筒部１３７，１３８にそれぞれ連結部材である縦軸１３９，１４０を通すことにより回動可能に連結している。
【００６４】
このものによれば、戸側金具１３３，１３４の取付位置を、折戸４２の上面及び下面に制されることなく、折戸４２の裏面Ｒ及び側縁面Ｇに沿って自由に設定することができる。これにより、例えば図１５に示すように、折戸４２が枠４３を覆い隠す寸法のものでも、実施可能となる。又、この場合、筒部１３７，１３８の組合わせ長、並びにそれに通した縦軸１３９，１４０が長く、折戸用金具１３１，１３２の戸側金具１３３，１３４と枠側金具１３５，１３６との連結強度、ひいては折戸４２の支持強度を高く得ることができる。
【００６５】
このほか、被ガイド部材５６の凸部５７は、それを縦軸回転するローラに変えて実施するようにしても良く、又、その凸部５７を出没可能に設けてレール８５の溝８７に組込みやすくしても良い。更に、被ガイド部材５６は前後に位置調整されるだけでなく、上下にも位置調整されるようにしても良い。
加えて、保持板６１（保持手段）は、被ガイド部材５６に取付けるのではなく、レール８５側すなわち枠４３の上辺部４３ａの軌条部側に取付けて、被ガイド部材５６を軌条部との嵌合状態に保持するようにしても良い。
そのほか、本発明は上記し且つ図面に示した実施例にのみ限定されるものではなく、要旨を逸脱しない範囲内で適宜変更して実施し得る。
【００６６】
【発明の効果】
本発明は以上説明したとおりのもので、折戸の開閉がスムーズにできると共に、枠への折戸の取付けが容易にでき、しかも、枠の上辺部の下面全開形の軌条部からの被ガイド部材の脱離を防止できて、状態の安定保持ができるという効果を得ることができる。
【図面の簡単な説明】
【図１】本発明の第１実施例を示す折戸装置の上部及び下部の縦断側面図
【図２】上部の折戸用金具の分解斜視図
【図３】被ガイド部材部分の分解斜視図
【図４】下部の折戸用金具の分解斜視図
【図５】戸車部分の分解斜視図
【図６】下部の折戸用金具の横断面図
【図７】下部の折戸用金具の縦断面図
【図８】折戸装置の斜視説明図
【図９】本発明の第２実施例を示す図１部分相当図
【図１０】本発明の第３実施例を示す図４部分相当図
【図１１】折戸の開放時の各部の動作を示す説明図
【図１２】折戸の閉鎖時の各部の動作を示す説明図
【図１３】本発明の第４実施例を示す図１部分相当図
【図１４】本発明の第５実施例を示す図１部分相当図
【図１５】本発明の第６実施例を示す図１部分相当図
【図１６】上部の折戸用金具の平面図
【図１７】図８相当図
【図１８】インセット形折戸装置の概略横断面図
【図１９】アウトセット形折戸装置の概略横断面図
【図２０】従来例を示す図８相当図
【図２１】主要部分の分解斜視図
【図２２】連結機構部分の拡大横断面図
【図２３】図１相当図
【符号の説明】
４２は折戸、４３は枠、４３ａは枠の上辺部、４３ｂは枠の下辺部、４４，４５は折戸用金具、４６は戸側金具、４７は枠側金具、４８は連結部材、４９は戸側金具、５０は枠側金具、５１は連結部材、５６は被ガイド部材、６１は保持板（保持手段）、７２はローラ、７７は戸車、８５はレール、８７は溝（軌条部）、８８は突条部、８９はレール、９０は溝（軌条部）、１０２は保持板（保持手段）、１１１，１２１は戸車ケース（戸車支持部材）、１３１，１３２は折戸用金具、１３３，１３４は戸側金具、１３５，１３６は枠側金具、１３９，１４０は縦軸（連結部材）を示す。
【図１】
0003708820.tif 000002
【図２】
0003708820.tif 000003
【図３】
0003708820.tif 000004
【図４】
0003708820.tif 000005
【図５】
0003708820.tif 000006
【図６】
0003708820.tif 000007
【図７】
0003708820.tif 000008
【図８】
0003708820.tif 000009
【図９】
0003708820.tif 000010
【図１０】
0003708820.tif 000011
【図１１】
0003708820.tif 000012
【図１２】
0003708820.tif 000013
【図１３】
0003708820.tif 000014
【図１４】
0003708820.tif 000015
【図１５】
0003708820.tif 000016
【図１６】
0003708820.tif 000017
【図１７】
0003708820.tif 000018
【図１８】
0003708820.tif 000019
【図１９】
0003708820.tif 000020
【図２０】
0003708820.tif 000021
【図２１】
0003708820.tif 000022
【図２２】
0003708820.tif 000023
【図２３】
0003708820.tif 000024